(57)【要約】【課題】耐用年数が延長し、修理が容易な瓦屋根構造を提供する。【解決手段】屋根を構成するのじ板上の瓦桟木に波型面を有する地瓦３を配置し、屋根の頂部にのし瓦４を複数枚重ね、複数枚重ねたのし瓦の最上部に頂部瓦５を被せて棟瓦６を構成し、棟瓦の内部および棟瓦・地瓦間の空隙に充填部材を充填し、最下段ののし瓦と地瓦の波型の傾斜面とにより形成される間隙を漆喰で漆喰止めした瓦屋根構造において、漆喰止めした間隙の外表面近傍に、間隙と実質的に同型の漆喰崩れ止め部材９を当接し、漆喰・漆喰崩れ止め部材間、のし瓦・漆喰崩れ止め部材間、地瓦・漆喰崩れ止め部材間を瓦崩れ止め用接着剤１０ａで接着する。また、頂部瓦・のし瓦間およびのし瓦・のし瓦間の外表面近傍を瓦崩れ止め用接着剤１０ｂで接着する。さらに、地瓦・地瓦間の外表面近傍を瓦崩れ止め用接着剤１０ｃで接着する。【選択図】図１
2004076286.tif 000002
【特許請求の範囲】
【請求項１】
屋根を構成するのじ板（１）上の瓦桟木（２）に波型面を有する地瓦（３）を配置し、前記屋根の頂部にのし瓦（４）を複数枚重ね、前記複数枚重ねたのし瓦の最上部に頂部瓦（５）を被せて棟瓦（６）を構成し、前記棟瓦の内部および前記棟瓦・地瓦間の空隙（７）に充填部材（７０）を充填し、最下段の前記のし瓦と前記地瓦の波型の傾斜面とにより形成される間隙（８）を漆喰（９０）で漆喰止めした瓦屋根構造において、
前記漆喰止めした前記間隙の外表面近傍に、前記間隙と実質的に同型の漆喰崩れ止め部材（９）を当接し、前記漆喰・前記漆喰崩れ止め部材間、前記のし瓦・前記漆喰崩れ止め部材間、地瓦・前記漆喰崩れ止め部材間を瓦崩れ止め用接着剤（１０ａ）で接着することを特徴とする瓦屋根構造。
【請求項２】
前記頂部瓦・前記のし瓦間および前記のし瓦・のし瓦間の外表面近傍を前記瓦崩れ止め用接着剤（１０ｂ）で接着することを特徴とする請求項１記載の瓦屋根構造。
【請求項３】
前記地瓦・地瓦間の外表面近傍を前記瓦崩れ止め用接着剤（１０ｃ）で接着することを特徴とする請求項１または２記載の瓦屋根構造。
【発明の詳細な説明】
【０００１】
【発明の属する技術分野】
本発明は瓦屋根構造に係わり、特に瓦・瓦間の間隙を補強した瓦屋根構造に関するものである。
【０００２】
【従来の技術】
従来の瓦屋根は、図３および図４に示すように、屋根を構成するのじ板１上に敷かれたルーフィング１１上の瓦桟木２に波型面を有する地瓦３を配置し、屋根の頂部にのし瓦４を複数枚重ね、複数枚重ねたのし瓦４の最上部に伏間瓦、雁瓦、冠瓦等といわれる頂部瓦５を被せて棟瓦６を構成し、棟瓦６の内部および棟瓦６・地瓦３間に形成される空隙７に充填部材として土７０を充填し、最下段ののし瓦４と、地瓦３の波型の傾斜面とにより形成される間隙８を漆喰９０で漆喰止めしている。
【０００３】
地瓦３は、のじ板１上に敷かれたルーフィング１１上の瓦桟木２に順次配置されることにより、屋根の上でほぼ固定される。積極的に固定するには、特許第２９２０８７３号に開示されているように、瓦同士の重合部分の一部に接着剤を塗布し、また、瓦の縁の角部と、その下方の瓦の上面との間に接着剤を塗布し、瓦用固定具を用いることも行なわれている。
【０００４】
棟瓦６に関しては瓦葺き時に、最下段ののし瓦４と地瓦３とにより形成される間隙８を漆喰止めして固定し、要所要所に金属線６０を用いて複数枚重ねたのし瓦４および最上部の頂部瓦５を絞めつけて棟瓦６が崩れないようにしている。
【０００５】
【発明が解決しようとする課題】
屋根は風雨や直射日光にさらされ、温度変化や地震の衝撃も加わるので、年数が経過するとのし瓦４と地瓦３とにより形成される間隙８に充填された漆喰９０に隙間ができて、傾斜にそって落下すべき水の一部が漆喰９０に生じた隙間から瓦内部に流れ込み、ルーフィング１１からのじ板１を経て、やがて屋内で雨漏りをひき起こすようになる。また、重層されたのし瓦４の間の空隙７に充填された土７０が、侵入した水と一緒に漆喰９０の隙間から地瓦３表面に流れ出す。
【０００６】
さらに放置すると、図５に示すように、漆喰９０がはがれて地瓦３の上にはみ出し、のし瓦４がずれたり落ちたりするようになる。また、地瓦３・地瓦３間でも位置ずれが生じ、雨水の侵入による雨漏りが発生するようになる。
【０００７】
これを修理するには、棟瓦６、地瓦３および瓦桟木２を順に取り除き、のじ板１上の掃除をして、新しい瓦桟木２を打ち付け、改めて従来と同様に地瓦３および棟瓦６を取り付けることになるため、修理時には多大の手間がかかり、従って費用がかさむという難点がある。
【０００８】
本願発明は、上記従来の難点を解決するためになされたもので、修理が容易で、耐用年数が延長される瓦屋根構造を提供することを目的とする。
【０００９】
【課題を解決するための手段】
上記の目的を達成するために、本発明による瓦屋根構造は、屋根を構成するのじ板上の瓦桟木に波型面を有する地瓦を配置し、屋根の頂部にのし瓦を複数枚重ね、複数枚重ねたのし瓦の最上部に頂部瓦を被せて棟瓦を構成し、棟瓦の内部および棟瓦・地瓦間の空隙に充填部材を充填し、最下段ののし瓦と地瓦の波型の傾斜面とにより形成される間隙を漆喰で漆喰止めした瓦屋根構造において、漆喰止めした間隙の外表面近傍に、間隙と実質的に同型の漆喰崩れ止め部材を当接し、漆喰・漆喰崩れ止め部材間、のし瓦・漆喰崩れ止め部材間、地瓦・漆喰崩れ止め部材間を瓦崩れ止め用接着剤で接着するものである。
【００１０】
また、本発明による瓦屋根構造は、頂部瓦・のし瓦間およびのし瓦・のし瓦間の外表面近傍を瓦崩れ止め用接着剤で接着するものである。
【００１１】
さらに、本発明による瓦屋根構造は、地瓦・地瓦間の外表面近傍を瓦崩れ止め用接着剤で接着するものである。
【００１２】
このような本発明の瓦屋根構造によれば、修理が容易であって漆喰部分からの水の侵入が防止され、瓦屋根の耐用年数が延長される。従って瓦屋根の維持管理費用の削減が図られる。
【００１３】
【発明の実施の形態】
以下、本発明による瓦屋根構造の実施の形態例について図面を参照して詳述する。
【００１４】
瓦屋根は、図３に示すように、屋根を構成するのじ板１上にルーフィング１１を敷き、ルーフィング１１上に固定した瓦桟木２に波型面を有する地瓦３を順次一部分ずつ重ねながら配置する。棟瓦６は、屋根の頂部に適宜選択された大小ののし瓦４（４ｂ、４ａ）を複数枚重ね、複数枚重ねたのし瓦４の最上部に頂部瓦としての冠瓦５を被せ、図１に示すように、要所要所に金属線６０を用いて複数枚重ねたのし瓦４および最上部の冠瓦５を絞めつけて棟瓦６が崩れないようにして構成するが、棟瓦６の内部および棟瓦６・地瓦３間に形成される空隙７（図２）には充填部材としての土７０を充填し、最下段ののし瓦４と地瓦３の波型の傾斜面とにより形成される間隙８は漆喰９０で漆喰止めされる。
【００１５】
本発明による瓦屋根構造では、間隙８を漆喰止めした漆喰９０の表面に、図１、図２（ａ）、（ｂ）に示すように、漆喰崩れ止め部材として間隙８と同型である実質的に三日月型の当接部材９を当接し、当接部材９・漆喰９０間、のし瓦４・当接部材９間、地瓦３・当接部材９間にわたって当接部材９の周囲を瓦崩れ止め用接着剤１０ａで接着する。
【００１６】
さらに、本発明による瓦屋根構造では、図１に示すように、冠瓦５・のし瓦４間およびのし瓦４・のし瓦４間の外表面近傍を瓦崩れ止め用接着剤１０ｂで接着する。
【００１７】
また、本発明による瓦屋根構造では、図１に示すように、地瓦３と地瓦３間の重なり部の外表面近傍を瓦崩れ止め用接着剤１０ｃで接着する。
【００１８】
漆喰崩れ止め部材としての当接部材９は、シリコンゴム、ウレタンゴム等公知の合成ゴムで、所望の厚さ、即ち２〜５ｍｍ、好ましくは３〜４ｍｍのもので、形状は、のし瓦４の水平線と地瓦３の波型の傾斜面とにより形成される三日月型でそれより一回り小さく切断したものが採用される。図２（ｂ）に示すように、同じ部材で帯状の頂部瓦当接部材９’を冠瓦５のつなぎ目に上述の瓦崩れ止め用接着剤で取り付けても好適である。この漆喰崩れ止め部材は可撓性を有し、耐熱性、耐オゾン劣化性にすぐれ、下記瓦崩れ止め用接着剤１０によって漆喰の露出面によくなじみ、また、地瓦３、のし瓦４、冠瓦５ともしっかり接着される。
【００１９】
瓦崩れ止め用接着剤１０（１０ａ、１０ｂ、１０ｃ）としては、エポキシ樹脂系、ニトリルゴム系、ポリビニルブチラール系等の公知の合成樹脂性接着剤が選択される。エポキシ樹脂系、ニトリルゴム系接着剤には顔料の添加により着色され、黒、灰、青、白、赤等、瓦の色に合わせて選択される。ポリビニルブチラール系接着剤は無色透明な瓦崩れ止め用接着剤１０として選択される。
【００２０】
この瓦崩れ止め用接着剤１０は液状をなし、可撓性チューブに収納され、チューブ本体に圧力を加えて口金から排出させながら、当接部材９・漆喰９０、当接部材９・瓦、瓦相互の固定に使用したり、大形容器に収納して圧力をかけてホースからと吐出させながら同様に使用する。
【００２１】
本発明による瓦屋根構造は、瓦屋根を修理する目的で、要修理の初期段階で採用されると、修理が容易であるため修理費用の削減が図られるとともに、以後の瓦屋根の耐用年数が著しく延長される。また、新たに瓦屋根を葺くときに採用されると同様に瓦屋根の寿命を大きく延長することができる。
【００２２】
【発明の効果】
以上の説明からも明らかなように、本発明による瓦屋根構造によれば、屋根を構成するのじ板上の瓦桟木に波型面を有する地瓦を配置し、屋根の頂部にのし瓦を複数枚重ね、複数枚重ねたのし瓦の最上部に頂部瓦を被せて棟瓦を構成し、棟瓦の内部および棟瓦・地瓦間の空隙に充填部材を充填し、最下段ののし瓦と地瓦の波型の傾斜面とにより形成される間隙を漆喰で漆喰止めした瓦屋根構造において、漆喰止めした間隙の外表面近傍に、間隙と実質的に同型の漆喰崩れ止め部材を当接し、漆喰・漆喰崩れ止め部材間、のし瓦・漆喰崩れ止め部材間、地瓦・漆喰崩れ止め部材間を瓦崩れ止め用接着剤で接着し、また、頂部瓦・のし瓦間およびのし瓦・のし瓦間の外表面近傍を瓦崩れ止め用接着剤で接着し、さらに、地瓦・地瓦間の外表面近傍を瓦崩れ止め用接着剤で接着するので、修理が容易であって漆喰部分からの水の侵入が防止され、瓦屋根の耐用年数が延長される。従って瓦屋根の維持管理費用の削減が図られる。
【図面の簡単な説明】
【図１】本発明による瓦屋根構造を示した図である。
【図２】（ａ）は本発明による瓦屋根構造の部分拡大図、（ｂ）は本発明による瓦屋根構造に使用される漆喰崩れ止め部材を示す図ある。
【図３】瓦屋根構造の一部断面を示す部分拡大図ある。
【図４】従来の瓦屋根構造の一部断面を示す部分拡大図ある。
【図５】従来の瓦屋根構造を示す部分拡大図ある。
【符号の説明】
１・・・のじ板
２・・・瓦桟木
３・・・地瓦
４・・・のし瓦
５・・・頂部瓦
６・・・棟瓦
７・・・棟瓦・地瓦間の空隙
７０・・・充填部材
８・・・のし瓦と地瓦の波型の傾斜面とにより形成される間隙
９・・・漆喰崩れ止め部材
１０（１０ａ、１０ｂ、１０ｃ）・・・瓦崩れ止め用接着剤
【図１】
2004076286.tif 000003
【図２】
2004076286.tif 000004
【図３】
2004076286.tif 000005
【図４】
2004076286.tif 000006
【図５】
2004076286.tif 000007